(57)【要約】  ａ．セルロース系繊維パルプ：５０〜９０重量％；ｂ．離解剤：３０〜３重量％；ｃ．少なくとも１種の洗浄剤を含む、水性液体中で離解するせっけん入り紙が記載される。好ましい離解剤は、カルボキシメチルセルロースのナトリウム塩である。この紙は、人または動物の体の部分を洗浄するために使用することができ；また、乾燥しており、ロールの形態において利用してもよく、処分しなければならない残渣を残さず、自動工業プロセスを使用して生産される。
2015514818.tif 000002
【特許請求の範囲】
【請求項１】
ａ．セルロース系繊維パルプ：５０〜９０重量％；
ｂ．離解剤：３０〜３重量％；
ｃ．少なくとも１種の洗浄剤
を含む、水性液体中で離解するせっけん入り紙。
【請求項２】
前記パルプの重量パーセントが８０〜９０％である、請求項１に記載の紙。
【請求項３】
前記離解剤の重量パーセントが５〜１３％である、請求項１または２に記載の紙。
【請求項４】
以下の成分：
ｄ．剥離剤：２〜８重量％；
ｅ．染料：０．０１〜０．０５重量％；
ｆ．鉱物性顔料：０．１〜２０％；
ｇ．保持剤：０．１〜５％
の少なくとも１つをさらに含む、請求項１〜３の何れか１項に記載の紙。
【請求項５】
前記離解剤が水溶性物質である、請求項１〜４の何れか１項に記載の紙。
【請求項６】
前記水溶性物質が、ポリビニルピロリドン、ポリエチレングリコール、キサンタンガム、グアーガム、ポリクオタニウムポリマー、プルラン、ヒドロキシプロピルメチルセルロース、ヒドロキシエチルセルロース、ヒドロキシプロピルセルロース、ゼラチン、カルボキシメチルセルロースのナトリウム塩、ポリビニルアルコール、アルギン酸ナトリウム、トラガカントゴム、アカシアゴム、アラビアゴム、ポリアクリル酸、メチルメタクリレートコポリマー、カルボキシビニルポリマー、アミラーゼ、天然および化工デンプン、アルミニウムデンプンオクテニルスクシネート、ヒドロキシプロピルデンプンホスフェート、高アミラーゼデンプン、高アミラーゼヒドロキシプロピレートデンプン、デキストリン、ペクチン、キチン、キトサン、レバン、エルシナン、コラーゲン、ゼイン、グルテン、大豆タンパク質単離物、乳タンパク質単離物、カゼイン、イナゴマメガム、カラヤゴム、カラギーナン、ジェランガム、寒天、アルギン酸およびアルギネート、ファーセレラン、ポリヒドロキシ酸ポリマー、ならびにそれらの混合物、に基づくポリマー；多糖
からなる群から選択される、請求項５に記載の紙。
【請求項７】
前記離解剤が前記カルボキシメチルセルロースのナトリウム塩である、請求項６に記載の紙。
【請求項８】
２０〜５００ｇ／ｍ2の重量を有する、請求項１〜７の何れか１項に記載の紙。
【請求項９】
以下の組成：
−  漂白されたユーカリ化学パルプ  ８６．４重量％；
−  カルボキシメチルセルロースのナトリウム塩  ８．３重量％；
−  剥離剤  ５．３重量％；
−  紙への適用量８ｇ／ｍ2の、１対１の重量比のラウリルエーテル硫酸ナトリウムおよびラウリン酸アミドプロピルベタイン
を有し、７０ｇ／ｍ2の重量を有する、請求項１〜８の何れか１項に記載の紙。
【請求項１０】
以下の組成：
−  漂白されたユーカリ化学パルプ  ５７．６重量％；
−  漂白された針葉樹化学パルプ  ２８．８重量％；
−  カルボキシメチルセルロースのナトリウム塩  ８．３重量％；
−  剥離剤  ５．３重量％；
−  適用量８ｇ／ｍ2の、１対１の重量比のラウリルエーテル硫酸ナトリウムおよびラウリン酸アミドプロピルベタイン
を有し、７０ｇ／ｍ2の重量を有する、請求項１〜８の何れか１項に記載の紙。
【請求項１１】
以下の組成：
−  漂白されたユーカリ化学パルプ  ８６．４重量％；
−  カルボキシメチルセルロースのナトリウム塩  ８．３重量％；
−  剥離剤  ５．３重量％；
−  適用量８ｇ／ｍ2の、それぞれ、４９．６、４９．６、および０．８％の重量パーセントのラウリルエーテル硫酸ナトリウム、ラウリン酸アミドプロピルベタインおよび塩化ベンザルコニウム
を有し、７０ｇ／ｍ2の重量を有する、請求項１〜８の何れか１項に記載の紙。
【請求項１２】
少なくとも１種の洗浄剤が、家庭用または工業用洗浄剤であり、特に、前記少なくとも１種の洗浄剤が、食器洗い機のための洗浄剤、衣類および洗濯物の水中での洗浄のための洗浄剤および手洗い用クリームからなる群から選択される、請求項１〜８の何れか１項に記載の紙。
【請求項１３】
有効成分、特に、皮膚消毒薬をさらに含む、請求項１〜８の何れか１項に記載の紙。
【請求項１４】
請求項１〜１３の何れか１項に記載の紙からなるロール。
【請求項１５】
予め成形されたシートを有する、請求項１４に記載のロール。
【請求項１６】
請求項１〜１３に記載の紙のシートを含むパック。
【請求項１７】
以下の段階：
ａ．セルロース系繊維パルプの調製；
ｂ．連続機械による紙基材の生産；
ｃ．任意に、シート表面処理；
ｄ．任意に、平滑化；
ｅ．洗浄剤による含浸；
ｆ．ローリング、および任意に、パッキング
を含む、請求項１〜１３に記載の紙の生産方法。
【請求項１８】
人体、特に、皮膚を清潔にするための、請求項１〜１３に記載の紙の使用。
【請求項１９】
有効成分および／または薬効成分、特に、消毒薬のための媒体として作用する、請求項１〜１３に記載の紙の使用。
【請求項２０】
洗濯機中で種々の色の衣服を洗浄するのを可能にする製品のための媒体としての、請求項１〜１３における紙の使用。
【請求項２１】
家庭用洗浄剤、特に、家庭用または工業用使用のための洗浄剤のための媒体としての、請求項１〜１３に記載の紙の使用。
【発明の詳細な説明】
【発明の技術分野】
【０００１】
本発明は、紙化学の分野、特に、ヒトまたは動物の体の部分を洗浄するために使用することができる可溶性せっけん入り（soaped）紙に関する；具体的には、本発明は、界面活性剤を含浸し、処分されなければならない廃棄物を残さず、そして、自動工業プロセスによって製造される、ロールの形態において利用できる乾いた紙に関する。
【発明の背景】
【０００２】
界面活性剤を含浸しており、完全に水溶性である、セルロース系紙のシートの生産および使用は、公知である。しかしながら、基材または最終製品のために使用されている用語である、紙またはティッシュは、統一されているとは限らず、混乱および誤解の原因となることがある。
【０００３】
紙産業において、紙とは、その主成分がセルロースおよびリグニンである植物繊維のフェルトであって、このような繊維の水懸濁液から得られるフェルトを意味する。懸濁液からフェルトへの変換は、漉き網（clothing）上での排水を介して達成される。そのようにして得られた薄いシートは、３番目の寸法であるその厚さより桁違いに大きい２つの寸法幅および長さを有している。
【０００４】
本発明の意味において、紙とは、少なくとも５０％の、セルロースまたはセルロースおよびリグニンを含有する製品を意味する。本発明の意味において、パーセンテージがより低い公知の製品は、紙であるとはみなされない。
【０００５】
ＧＢ６５６２１０は、繊維間の結着剤として、カルボキシメチルセルロースのナトリウム塩を含有していてもよい、水溶性セルロースエーテル繊維および界面活性剤（例えば、アルキルスルフェート）から形成される、せっけんの代用品として使用することができるティッシュを記載している。「ティッシュ」として知られる基材を生産する方法は、紙生産技術を用いて得ることができるが、出発材料は、セルロースエーテルを含む。ティッシュは、それゆえ、界面活性剤も含有する液体中でセルロースエーテル繊維のパルプを形成することによって得られる；次いで、このパルプは形成グリッド上へと広げられて「フェルトレート（feltrate）」層を形成し、この層から液体を排水し、残りの液体を蒸発により除去する。この特許が関連するティッシュを得るために使用される出発材料は常に、水溶性繊維状材料であり、好ましくは、セルロースエーテルであるか、または、代わりにアルギネートもしくはポリビニルアルコールである。この特許において、セルロースは、メチルセルロースを得るための出発材料（試薬）として言及されているのみである。したがって、基材（セルロースエーテル）を形成するために使用される材料は、セルロースとは異なる。記載されている製品は、出発材料が少なくとも５０％のセルロースまたはセルロースおよびリグニンを提供しないという点で、紙とみなすことができない。
【０００６】
ＥＰ０００３１８６は、結着剤、ポリビニルアルコール（ＰＶＡ、ＰＶＯＨ）を、「不織布」（これは、定義によると、不織布においては、寸法安定性はポリマーマトリックスによって与えられ、セルロースの繊維間水素結合によって与えられるのではないため、紙とは異なる）として記載されている基材に添加することによって得られる、力学的強度が高いウェットワイプを記載している。ＰＶＡを含有する基材は、そのようにして得られる材料（ワイプ）が水と接触して置かれた場合に確実に、寸法安定性となるようにするために、続いて、生成物（ホウ酸および水溶性塩）によって処理しなければならない。ワイプは、水分に対して良好な耐性を有するが、水中に浸漬され、撹拌に供された場合には、バラバラになる（離解する（disaggregate））。この例において、いかにして要求される力学的強度が、紙がポリビニルアルコールおよびホウ酸により処理された後にのみ得られるかということが判る。これに加えて、離解（disaggregation）は、一定量の外部エネルギー、特に、機械的エネルギーを提供することによってのみ達成される。
【０００７】
ＥＰ０８９６０８９は、ＥＰ０００３１８６と実質的に同じ製品を記載しているが、しかしより大きい正確度および精密度を有しており、かつ、基材に添加する生成物の処方においていくらかの変更を有している。このケースでは、表面処理を介して、結着剤（結合剤）、ポリビニルアルコール（ＰＶＡ）が添加される、紙（繊維状シート、たとえば紙）に対して明示的な言及がなされている。引き続いて、シートが浸漬された場合でもシートにそれが摩擦されるのに十分な強度を与えるために、ＰＶＡを含有する紙に、カルボキシレートが添加される。その説明において、ワイプについての崩壊時間が、増大する回転速度でのローターの使用を提供する試験を通じて定量されている。水中でのワイプの崩壊は、それゆえ、一定量のエネルギーの適用を必要とする。
【０００８】
ＣＡ２３３７４８は、容器中に置かれた、清浄組成物を含浸した、水に溶解する基材を含む使い捨てせっけんを記載している。この基材は、ティッシュであってもよく、紙は材料であると理解される。この文献は、個々のシート（ワイプ）を記載しているのみである。ロールを生産する可能性についてはまったく言及されていない。
【０００９】
ＷＯ２００５０６０９３１は、水と接触すると溶解する単層から形成される清浄用ワイプを記載しており、かかる清浄用ワイプは、水に可溶性および／または分散性である材料を含有する水溶性フィルムを形成するポリマー材料（７０〜９８％）、および清浄剤（１〜３０％）を含む。これらはまた、１〜２０％の量で木部繊維を含んでいてもよく、それゆえまたセルロースを含んでいてもよい、研磨清浄剤または繊維状賦形剤をおそらく含有していてもよい。セルロースは、水に分散され得る材料のなかには言及されていない。記載されている製品の本質的特徴は、清潔にするために十分な時間、インタクトな構造を製品が維持することを可能とするその好適な湿潤強さである。
【００１０】
上記の技術水準を示す文献においては、それゆえ、皮膚に対する摩擦作用を持続することが可能な良好な湿潤強さを有するワイプまたはティッシュが記載されている。これらは、高流量の水で、エネルギーをもたらす有意な機械的作用のさらなる存在下にさらされた場合は崩壊する。
【００１１】
さらに、紙は植物繊維の存在を規定するものであり、植物繊維の主成分は、５０％を超える量におけるセルロースまたはセルロースおよびリグニンであることから、文献ＧＢ６５６２１０およびＷＯ２００５０６０９３１に記載されている製品は、「紙」の通常の定義の範囲には含まれない。
【００１２】
ＪＰ２００３０８２３９７およびＪＰ２００３０７３７００は、カルボキシメチルセルロース（ＣＭＣ）のアルカリ塩および木材パルプを含む水溶性せっけん入り紙を記載している。しかしながら、紙は植物繊維の存在を規定するものであり、植物繊維の主成分は、５０％を超える量におけるセルロースまたはセルロースおよびリグニンであることから、文献ＧＢ６５６２１０およびＷＯ２００５０６０９３１の場合におけるように、これら製品は、「紙」の通常の定義の範囲には含まれない。
【００１３】
ＪＰ２００３０８２３９７はまた、水分を保持する成分の存在を規定する。紙は、カルボキシメチルセルロースおよび木材パルプを、それぞれおよそ７５〜８５および１５〜２５の比率で混合すること、および乾燥させることにより得られる。可溶性紙は次いで、液体せっけんで被覆され、熱で乾燥される。
【００１４】
上記日本特許において記載されているせっけん入り可溶性紙の本質的な特徴の１つは、それらが水に完全に可溶性であることである。
【００１５】
本発明者らは、手で手工業手段により調製される、水中で離解するせっけん入り紙を知っている。手工業生産サイクルでは、水およびセルロース繊維の溶液を容器中に置き（図１ａ）、これは、重力により形成クロス（forming cloth）上に沈着する；この形成クロスは、引き続いて水から持ち上げられ、過剰な水の大部分を排出させる。セルロースペーストは形成クロス上に残り（図１ｂ）、そして引き続いて広げられ（図１ｃ）、手作業でせっけん溶液を含浸し、熱風噴射により乾燥され、そして最後にロールアップされる。手工業ベースにて行われるこの方法は、限られた量のせっけん入り紙を生産することを可能とする。その固有の特性および小さい寸法により、得られたせっけん入り紙シートは、ロールアップすることができず、それゆえ小片に切断されて、それら小片は、引き続いて積み重ねられる（図１ｄ、１ｅ、１ｆおよび１ｇ）。そうして得られた手製製品（個々のシート）の小さいサイズは、所望の長さおよび幅のロール状に工業的に生産することができない。これは、工業規模でのその貯蔵および自動生産にとって障害である。
【００１６】
ロールへと巻かれることができる可溶性紙を得るための工業プロセスは公知であり、Ａｑｕａｓｏｌ  ｃｏｍｐａｎｙにより実施されている（Ａｑｕａｓｏｌ  Ｃｏｒｐｏｒａｔｉｏｎ、８０  Ｔｈｏｍｐｓｏｎ  Ｓｔｒｅｅｔ／Ｎｏｒｔｈ  Ｔｏｎａｗａｎｄａ、ＮＹ  １４１２０）。この会社は、水中で急速に離解することができ、様々な厚さおよびサイズ、例えば、ロールおよびシートで利用できるという性質により特徴づけられる可溶性紙であるＡｑｕａｓｏｌ（登録商標）Ｗａｔｅｒ  Ｓｏｌｕｂｌｅ  Ｐａｐｅｒを生産している。しかしながら、この可溶性紙はせっけん入りではなく、また、いかなる物質も含浸していない。
【００１７】
上記の技術水準に鑑み、様々な型式で、特に、ロールの形態において利用でき、連続工業プロセスにより生産されることができる、完全に水溶性のせっけん入り紙を得ることを可能にする方法に対する要求が依然として存在する。
【発明の概要】
【００１８】
本発明は、通常の紙の物理的特性を維持しつつ、ロールとし、また広げることができるように、堅牢性および柔軟性を有する乾いたせっけん入り可溶性紙が得られる、新規な方法によって、上記の技術的問題を克服する。この紙はそのうえ、ロールの巻き取りまたは巻き戻しの操作の際にいかなる損傷または劣化も引き起こすことなく、あらゆるサイズのロールにおいて貯蔵されることができる。
【００１９】
本発明による方法はまた、当該技術分野において公知の統合された技術による自動連続工業生産システムは普通紙の生産において使用されているため、これを用いて可溶性せっけん入り紙を生産することも可能とする。
【００２０】
本発明による製品の液体せっけんの代用品としての使用はまた、紙基材上に置かれる界面活性剤を計量することができるため、環境に対する影響を削減することも可能とし、液体せっけんの重量および体積の９０重量を超える削減を提供する。
【００２１】
このタイプの紙は、本発明の主題である。それは特に、柔らかく、柔軟であり、水性液体に可溶性であること、および、清浄剤を含有することにより特徴づけられる。好ましくは、本発明によるせっけん入り紙は、体を清潔にするために一般的に使用される、水、水−アルコール溶液およびその他の溶液に可溶性である。
【００２２】
得られる紙の重量は重大ではなく、紙の使用に適合して達成し得る最小値から変動していてもよい。好ましくは、重量は、２０〜５００ｇ／ｍ2で変動する。
【００２３】
紙はまたその上に、書かれたり、印刷されたりすることができる。実際に、ペンまたは鉛筆により紙の上に書くこと、または、多色インクを適用して模様もしくは文字を作ることが可能である。
【発明の説明】
【００２４】
定義
本発明の目的のために、「紙」という用語は、未使用のフェルトおよび／またはあらゆる起源の再生植物繊維（例えば、木材パルプ、機械パルプ、セミケミカルパルプ、化学パルプ、綿リンタ、一年生植物等）であって、その主成分が５０重量％の最小含有量を有するセルロースまたはセルロースおよびリグニンであり、かかる繊維の水懸濁液から得られるものを意味するととられる。
【００２５】
本発明の文脈において、可溶性紙とは、水性液体、例えば、水、水およびアルコール、または、その他の溶媒との混合物中の水と接触すると、離解し、解離して、単繊維となる紙を意味する。本発明において、「可溶性」紙はまた、「離解可能（disaggregatable）」という用語によっても示され、この用語は、研究所の機械的手段の助けのない、わずかな手動の撹拌による、完全な離解を意味する。使用者は、この離解を、「可溶性」であると考える。
【００２６】
本発明の文脈において、せっけん入り紙とは、洗浄剤を含浸した紙を意味する。
【００２７】
発明の目的
本発明の１つの目的は、以下：
ａ．セルロース系繊維パルプ：５０〜９０重量％；
ｂ．離解剤（disaggregating agent）：３０〜３重量％；
ｃ．少なくとも１種の洗浄剤
を含む、水性液体中で離解するせっけん入り紙である。
【００２８】
重量パーセントは、水の非存在下で計算される。
【００２９】
本発明の別の目的は、この紙の生産、特に、ロールにおける生産のための、連続方法である。
【００３０】
人体、特に、皮膚を清潔にするための紙の使用もまた、本発明の目的である。
【００３１】
本発明のさらなる目的は、一般の有効成分および／または薬効成分のための媒体を提供するための、水に分散する消毒剤のための媒体を提供するための、種々の色の衣服を洗濯機中で洗浄することを可能にする製品の媒体を提供するための、紙の使用である。
【００３２】
本発明のこの目的およびその他の目的は、例および図によるものを含めて、以下に詳細に例示される。
【図面の簡単な説明】
【００３３】
【図１】図１：せっけん入り可溶性紙の生産のための公知の手工業生産サイクルの例。
【図２】図２：本発明による紙を使用する方法の図解。
【発明の詳細な説明】
【００３４】
本発明の主題である離解可能（別名として可溶性と称される）せっけん入り紙の生産のために、紙の製造のために好適なあらゆる材料が、出発材料として使用される。これらの材料は、当業者に周知である。
【００３５】
本発明の好ましい態様において、第１のセルロース系繊維状材料（セルロース繊維パルプ）が使用される。紙のために使用されるあらゆる原料を出発材料として使用してもよい。特に、吸収補助剤（absorbent auxiliaries）の綿毛の調製のために使用される、機械パルプ、セミケミカルパルプ、化学パルプ、針葉樹または広葉樹のパルプ、綿リンタ、一年生植物およびセルロースであり、その主成分は、セルロースまたはセルロースおよびリグニンである。セルロースが、好ましい原料である。
【００３６】
この繊維状材料に、水溶性物質（例えば、分子、ポリマー、オリゴマー、有機および無機塩）の形態において、離解剤が添加される。本発明のために好適な水溶性物質の例は、ポリビニルピロリドン、ポリエチレングリコール、キサンタンガム、グアーガム、ポリクオタニウムポリマー、プルラン、ヒドロキシプロピルメチルセルロース、ヒドロキシエチルセルロース、ヒドロキシルプロピルセルロース（hydroxylpropyl cellulose）、ゼラチン、カルボキシメチルセルロースのナトリウム塩、ポリビニルアルコール、アルギン酸ナトリウム、トラガカントゴム、アカシアゴム、アラビアゴム、ポリアクリル酸、メチルメタクリル酸コポリマー（methyl methacrylate copolymer）、カルボキシビニルポリマー、アミラーゼ、天然および加工デンプン、アルミニウムデンプンオクテニルスクシネート（aluminium starch octenylsuccinate）、ヒドロキシプロピルデンプンホスフェート（hydroxypropyl starch phosphates）、高アミラーゼデンプン（high amylase starch）、高アミラーゼヒドロキシプロピレートデンプン（high amylase hydroxypropylate starch）、デキストリン、ペクチン、キチン、キトサン、レバン、エルシナン（elsinan）、コラーゲン、ゼイン、グルテン、大豆タンパク質単離物（soya protein isolate）、乳タンパク質単離物（milk protein isolate）、カゼイン、イナゴマメガム、カラヤゴム、カラギーナン、ジェランガム、寒天、アルギン酸およびアルギネート、ファーセレラン、ポリヒドロキシ酸ポリマー（polyhydroxy acid polymers）ならびにそれらの混合物、に基づくポリマー；紙技術において普通に使用される多糖である。好ましい離解剤は、カルボキシメチルセルロースのナトリウム塩である。
【００３７】
剥離剤（debonding agent）（例えば、エトキシレート／プロポキシレートアルコール）、無機および有機染料、鉱物性顔料（例えば、カオリン、炭酸カルシウム）、および保持剤（例えば、アクリルアミド、ポリアミン、カチオン性シリカ）を添加してもよい。これらの成分は、液体または粉末形態であってもよい。
【００３８】
本発明の好ましい態様において、紙は、水の非存在下で計算して以下の組成を有し、ここで、上記に列挙の成分が以下のパーセンテージで存在する：
−  セルロース系繊維パルプ：５０〜９０％、好ましくは、８０〜９０％、
−  離解剤：３〜２０％、好ましくは、５〜１３％、
−  剥離剤：２〜８％、
−  染料：０．０１〜０．０５％、
−  鉱物性顔料：０．１〜２０％、
−  保持剤：０．１〜５％、
−  少なくとも１種の洗浄剤。
【００３９】
上記に列挙の成分の正確なパーセンテージは、紙重量、紙の溶解度、ならびに、達成することが望まれる物理的／機械的、形態的および印刷特性（例えば、引張り強度、平滑度、厚さ、乳白度、剛性、通気性、引裂き抵抗、繊維間結合性、層間剥離、白色度）に基づいて、随時確立される。
【００４０】
特に好ましい態様において、本発明による離解可能せっけん入り紙は、以下の組成：
−  漂白されたユーカリ化学パルプ（bleached eucalyptus chemical pulp）  ８６．４重量％；
−  カルボキシメチルセルロースのナトリウム塩  ８．３重量％；
−  剥離剤  ５．３重量％；
−  ８ｇ／ｍ2の紙への適用量における、１対１の重量比における、ラウリルエーテル硫酸ナトリウム（sodium lauryl ether sulphate）およびラウリン酸アミドプロピルベタイン（lauramidopropyl betaine）
を有し、７０ｇ／ｍ2の重量を有する。
【００４１】
別の特に好ましい態様において、本発明による離解可能せっけん入り紙は、以下の組成：
−  漂白されたユーカリ化学パルプ  ５７．６重量％；
−  漂白された針葉樹化学パルプ（bleached conifer chemical pulp）  ２８．８重量％；
−  カルボキシメチルセルロースのナトリウム塩  ８．３重量％；
−  剥離剤  ５．３重量％；
−  適用量８ｇ／ｍ2の、１対１の重量比のラウリルエーテル硫酸ナトリウムおよびラウリン酸アミドプロピルベタイン
を有し、７０ｇ／ｍ2の重量を有する。
【００４２】
別の特に好ましい態様において、本発明による離解可能せっけん入り紙は、以下の組成：
−  漂白されたユーカリ化学パルプ  ８６．４重量％；
−  カルボキシメチルセルロースのナトリウム塩  ８．３重量％；
−  剥離剤  ５．３重量％；
−  それぞれの重量パーセント４９．６、４９．６および０．８％のラウリルエーテル硫酸ナトリウム、ラウリン酸アミドプロピルベタインおよび塩化ベンザルコニウム
を有する。紙に適用される界面活性剤の量は、８ｇ／ｍ2であり；
７０ｇ／ｍ2の重量を有する。
【００４３】
本発明の生産に使用することができる設備は、紙の生産、改良および再加工における既存の技術とまったく同等のものである。
【００４４】
かかる設備は、以下：
−  パルプの調製のためのプラントであって、形成用漉き網を備えた連続機械または形成ローラ（丸形成形）の供給ボックスに供給するプラント；
−  プレスユニット；
−  表面処理ユニット、例えば、サイズプレスが、挿入されていてもよい、ドライヤ；
−  任意に、機械スムーザ；
−  ポープローラ；
−  含浸ユニット；
−  後乾燥ユニット
を含む。
【００４５】
特に、紙生産ラインの基本的な構成要素を以下に例示する。
【００４６】
供給ボックスおよび連続機械が均一に供給できるように、経時的に一定である、水、繊維および添加物の正確な混合物を調製するための、パルプの調製のためのプラント。
【００４７】
パルプが調製されると、これは供給ボックスへと供給される。供給ボックスには、０．４〜１％程度の密度のパルプが供給され、連続機械の全体と同じ幅の、水、繊維および添加物の均一な層を形成する。パルプは次いで漉き網上へと移動する。パルプの脱水の段階は、連続機械の漉き網上で始まり、繊維のフェルト化の段階が同時におこり、これは第１段階において、自然排水により、次いで、減圧下での排水によって生じる。このタイプの機械は、丸形へと巻かれる漉き網に置きかえられてもよい。
【００４８】
パルプの脱水の段階は、連続機械の全長に沿って種々の技術により継続する。はじめに、希釈されたパルプが漉き網上で排水され、次いでプレスユニットへと移動する。
【００４９】
引き続くプレスユニットは、機械的プレスシステムにより、シートを脱水するプロセスを継続するよう設計されている。このシステムは、エネルギーの観点からは非常に好都合であるが、５０〜５２％の乾き度を超える乾き度の値を達成するのは困難である。
【００５０】
ドライヤが続き、ここで、シートは、所望の脱水の程度まで乾燥される。これは、湿ったシートを中空ローラ（一般に、直径１５００ｍｍ）に付着させることからなり、ローラ中で、飽和蒸気が凝縮させられる。このシステムは、その他の乾燥システム、例えば、熱風ストーブ、および赤外線システムとともに組み込まれていてもよく、あるいは場合によっては置きかえられていてもよい。
【００５１】
表面処理ユニット、例えば、サイズプレスまたはフィルムプレスが、シートを表面処理するために、ドライヤ中に組み込まれていてもよい。
【００５２】
その目的が紙を滑らかにすること、および、一般にその書かれる特性を改善することである機械スムーザもまた、さらに提供してもよい。
【００５３】
引き続いて、連続シートは、生産された紙を連続的に巻いてロールとし、生産サイクルを中断することなくロールを交換するポープリールへと移動する。
【００５４】
例えば、上記の機械は、本発明に必要とされる紙基材の連続工業生産が可能である。
【００５５】
ロールは次いで、基材に洗浄用剤（洗浄剤）を含浸する段階へと移される。含浸ユニットは、オフラインであってもよいし、または連続機械中に組み込まれていてもよい。
【００５６】
好ましい態様において、紙は、ロールの型式において生産される。この態様においては、設備には、ドライヤの後に、その周囲に紙が巻かれることができる支持体を含むローリングセクションが存在する。
【００５７】
一般に、本発明による紙を調製する方法は、以下の段階を含む：
ａ．セルロース系繊維パルプを調製すること；
ｂ．連続機械により紙基材を生産すること；
ｃ．任意に、シート表面処理；
ｄ．任意に、平滑化；
ｅ．洗浄剤による含浸；
ｆ．巻き取りおよび任意に、包装。
【００５８】
さらに詳細には、本発明による方法は、以下を含む：
−  セルロース系繊維パルプの調製；
−  前記パルプのフェルト化およびおよそ９５％の指標値までのシートの脱水；
−  任意に、シート表面処理；
−  任意に、平滑化；
−  巻くこと；
−  洗浄剤による含浸；
−  およそ９５％までの乾燥；
−  最終の巻き取り、および、所望の場合、包装。
【００５９】
本発明による紙の調製方法をここで記載する。
【００６０】
洗浄剤の添加までの段階および紙の調製は、まったく常套的なものであり、当業者の通常の知識の範囲内である。
【００６１】
出発繊維状材料（セルロース繊維パルプ）が、繊維状材料を個々の繊維へと分離するために、水を含有するパルパーの容器内に置かれ、バラバラにされる。本発明による離解剤および通常の成分が次いで添加される。このパルパーの使用は、紙生産の背景における公知の技術に含まれる。
【００６２】
繊維および上記のその他の成分を、全体の０．７〜４重量％で変動し得る量で含有する水性懸濁液が、このようにして得られる。
【００６３】
上記懸濁液は、最大の均一性および規則性をもって連続紙生産機械の漉き網上に懸濁液を分配するフローボックスに到達する。パルプおよび水の流れはこうして、機械の寸法に応じて可変性の幅の薄いフィルムとして分配され、これは、縦および横方向において均一な特性を有する。
【００６４】
フェルト化および乾燥という、２つの段階が上記連続機械においておこる。
【００６５】
機械においておこる第２の段階は脱水であり、これは、以下のプロセスによって行われる：希釈されたパルプが連続クロス（cloth）コンベヤベルト上に沈着され、機械的プレスシステムによるシートの脱水プロセスを継続するために設計されているプレスユニットへと移動する。プレスユニットから、湿ったシートを加熱された中空シリンダへと付着させるドライヤへと移動する。このシステムは、その他の乾燥システム、例えば、熱風ストーブおよび赤外線システムに組み込まれていてもよいし、または場合によっては置きかえられていてもよい。
【００６６】
方法のこの段階の間にウェブ中に存在する水分は、３〜５．５％の値へと低下する。
【００６７】
ドライヤから、紙を滑らかにするために設計され、一般に紙の書かれる特性を改善する、平滑化機械へと移動してもよく、最終的に、生産された紙が巻かれて連続的にロールとされる、ポープウィンダへと移動し、ロールは、生産サイクルを中断することなく交換される。
【００６８】
引き続く段階において、紙シートは、少なくとも１種の洗浄剤、好ましくは、洗浄剤の混合物を、噴霧または紙コーティングに典型的なその他のシステムにより、添加される。
【００６９】
この場合、連続機械のポープローラ上へと巻かれた紙は、ワインダ上で再び巻かれ（巻き戻され、再び巻かれる）、引き続く界面活性剤による処理のために最適なサイズのロールが調製される。この場合、界面活性剤噴霧は、紙基材に対して水を提供し、この紙基材は再度乾燥され、再度巻かれ、そして最終使用のための最適な寸法へと細分されなければならない。
【００７０】
別の方法として、洗浄剤は、連続機械中でインラインで添加されてもよい。
【００７１】
本発明によると、洗浄剤は界面活性剤であり、好ましくは、洗浄剤の混合物である。
【００７２】
−  最大の乾燥パーセンテージが、好ましくは５０％である可変性の比率の、アニオン性界面活性剤、両性界面活性剤、非イオン性界面活性剤、カチオン性界面活性剤またはそれらの混合物の少なくとも１つ；
−  任意に、５％未満のパーセンテージの、グリセリンの溶液；
−  任意に、それぞれ５％未満のパーセンテージの、ＥＤＴＡ、クエン酸／クエン酸ナトリウム；
−  任意に、それぞれ１％未満の量の、ソルビトール、乳酸ナトリウム、炭酸ナトリウム；
−  任意に、０．１％のパフュームエッセンス、および、０．３％未満の濃度のエッセンシャルオイル
を含む溶液が、本発明による紙に添加される。
【００７３】
上記の物質を均一に含浸した紙のシートがこうして得られる。
【００７４】
シートが得られ、生産される紙の重量に応じて、８０〜２５０℃の温度の熱風噴射により、シートを再び乾燥させる。
【００７５】
特定の態様において、得られた紙の連続シートは、その周囲に紙が巻かれる支持体として作用する芯によって、巻きセクションにおいて、ロールへと巻かれてもよい。したがって、可変性の重量、および機械の有用な幅を超えない所望の幅のロールが、生産される。
【００７６】
引き続いて、せっけん入り紙のロールは、市場の要求に応じて、広げられ、再び巻かれて、様々な幅および長さのより小さいロールとされ、切断され、積み重ねられ、そして包装されてもよい。
【００７７】
特定の態様において、ロールは、予め成形されたシート（preformed sheet）を含み、それらは次いで、前記ロールからそれらを１枚ずつ積み重ねることにより、使用してもよい。
【００７８】
上記のプロセス（広げることから包装またはあらゆる形態の包装）における最終段階は、自動連続工業システムによって行ってもよい。
【００７９】
方法のすべての上記段階の間に、せっけん入り紙製品は、いかなる劣化またはいかなる種類の形成異常も被ることはない。特に、紙シートは、自由に、巻かれても広げられてもよく、後者がいかなるようにもその特性に影響を与えることはない。本発明による方法の使用のおかげで、清浄剤の存在は、紙の柔軟性の特性に実際に悪影響を及ぼすことはない。
【００８０】
これまで記載した方法を用いて得られるせっけん入り可溶性紙は、均一な色を有し、滑らかな表面仕上がりを備え、インクを付けられ、印刷され、かつ、機械にかけることができる。
【００８１】
この紙は、水中で用いられた場合、離解する。紙の離解のプロセスは、それが浸漬されるとすぐに開始し、完全な溶解を引き起こし、同時にせっけんが放出される。
【００８２】
本発明の一態様において、得られた可溶性せっけん入り紙は、手または体のその他の部分が紙に接触すると好適にせっけん付けされ、その部分をきれいにするために使用される。
【００８３】
この紙はまた、ペンおよび／または鉛筆により書かれることができること、および、既存の印刷技術を用いて印刷されてもよいことも、特徴である。
【００８４】
上記のように、本発明による紙は、洗浄剤効果を利用する様々な用途を有し得、残渣を残さず、溶解の印象を与え、水性液体中で完全に離解するという利点を有する。
【００８５】
好ましい態様は、人体、特に、皮膚をきれいにする前記紙の使用を提供する。このケースにおいて、好適な洗浄剤、特に、皮膚との接触に適合性の洗浄剤が使用される。
【００８６】
本発明の別の態様は、経口的に摂取されなければならない、有効成分および／または薬効成分のための媒体として作用するための、その食用形態における紙の使用を提供する。この場合、これらの成分を組み込む通常の公知の技術を使用してもよい。外用の場合、外用消毒薬、抗炎症薬および軟化剤を、例えば、組み込んでいてもよく、洗浄剤は、組み込まれる有効成分に従って選択される。
【００８７】
本発明の別の態様は、洗濯機で種々の色の衣服を洗浄することを可能とする製品のための媒体として作用する、この紙の使用を提供する。このケースにおいて、洗浄剤は、水中で衣類（clothing）および洗濯物を洗浄するための家庭用および工業用セクターにおいて通常用いられているものであってよい。
【００８８】
本発明の別の態様は、家庭用または工業用使用のための洗浄剤、例えば、食器洗い機のための洗浄剤を有する紙の使用を提供する。
【００８９】
本発明の別の態様は、特別な洗浄剤、例えば、手洗い用クリームを有するこの紙の使用を提供する。本発明による紙基材は、好適な重量とする。
【００９０】
上記の使用による少なくとも１種の家庭用または工業用洗浄剤を含む本発明による紙は、本発明の目的の範囲内である。
【００９１】
以下の例は本発明をさらに例示する。
【００９２】
［実施例］
例１
せっけん入り可溶性紙の調製
可溶性紙基材は、周囲温度で３０分間撹拌しながら、パルパー中で以下の成分を混合することにより調製される；漂白されたユーカリ化学パルプ１３．３重量％、カルボキシメチルセルロースのナトリウム塩８５．４重量％および剥離剤１．３重量％。水中の繊維の濃度（密度）は、１重量％（１リットルの水、１０ｇの繊維）である。プロセスの終わりにおいて、７０ｇ／ｍ2に相当する重量の可溶性紙が得られる。こうして得られた紙の重量による組成は、以下の通りである：漂白されたユーカリ化学パルプ８６．４重量％、カルボキシメチルセルロースのナトリウム塩８．３重量％および剥離剤５．３重量％。紙のロールは、引き続いて、噴霧システムを用いて、５０％の乾燥重量を有する界面活性剤の水溶液を含浸する。使用される界面活性剤は、１対１の重量比のラウリルエーテル硫酸ナトリウムおよびラウリン酸アミドプロピルベタインである。紙へ適用される界面活性剤の量は、８ｇ／ｍ2である。せっけん入り紙は、引き続いて、印刷され、所望のように調製してもよい。
【００９３】
例２
せっけん入り可溶性紙の調製
可溶性紙基材は、周囲温度で３０分間撹拌しながら、パルパー中で以下の成分を混合することにより調製される：漂白されたユーカリ化学パルプ８．９重量％、漂白された針葉樹化学パルプ４．４重量％、カルボキシメチルセルロースのナトリウム塩８５．４重量％および剥離剤１．３重量％。水中の繊維の濃度（密度）は、１重量％（１リットルの水、１０ｇの繊維）である。プロセスの終わりにおいて、７０ｇ／ｍ2に相当する重量を有する可溶性紙が得られる。こうして得られた紙の重量による組成は、以下の通りである：漂白されたユーカリ化学パルプ５７．６重量％、漂白された針葉樹化学パルプ２８．８重量％、カルボキシメチルセルロースのナトリウム塩８．３重量％および剥離剤５．３重量％。紙は、引き続いて、噴霧システムを用いて、５０％の乾燥重量を有する界面活性剤の水溶液を含浸する。使用される界面活性剤は、１対１の重量比のラウリルエーテル硫酸ナトリウムおよびラウリン酸アミドプロピルベタインである。紙へ適用される界面活性剤の量は、８ｇ／ｍ2である。せっけん入り紙は、引き続いて、印刷され、所望のように調製してもよい。
【００９４】
例３
可溶性せっけん入り紙の生産
例１における明細により生産されるロールは、引き続いて、噴霧システムを用いて、５０％の乾燥重量を有する界面活性剤の水溶液を含浸する。使用される界面活性剤は、以下の重量パーセント、即ち、それぞれ、４９．６、４９．６、および０．８％のラウリルエーテル硫酸ナトリウム、ラウリン酸アミドプロピルベタインおよび塩化ベンザルコニウムである。紙に適用される界面活性剤の量は、８ｇ／ｍ2である。せっけん入り紙は、引き続いて、印刷され、切断されて、所望のサイズのロールとされる。
【００９５】
例４
可溶性せっけん入り紙の使用
図２は、本発明が関連する紙の実際的用途を示す。
【００９６】
可溶性せっけん入り清浄用紙のシートが、ロールから分離され（図２ａ）、引き続いて、流水下で使用される（図２ｂ）。
【００９７】
本発明は、完全に離解し、解離して単繊維となり、それを使用する個体の手および体の部分を好適にせっけん洗いする（図２ｃ）。
【００９８】
最終的に、図２ｄは、本発明による紙の完全な離解を示し、その後通常にすすがれる。使用者は、離解を溶解であると考える。
【図１】
2015514818.tif 000003
【図２】
2015514818.tif 000004
【手続補正書】
【提出日】平成26年10月28日(2014.10.28)
【手続補正１】
【補正対象書類名】特許請求の範囲
【補正対象項目名】全文
【補正方法】変更
【補正の内容】
【特許請求の範囲】
【請求項１】
ａ．セルロース繊維パルプ：５０〜９０重量％；
ｂ．離解剤：３０〜３重量％、ここで該解離剤は、ポリビニルピロリドン、ポリエチレングリコール、キサンタンガム、グアーガム、ポリクオタニウムポリマー、プルラン、ヒドロキシプロピルメチルセルロース、ヒドロキシエチルセルロース、ヒドロキシプロピルセルロース、ゼラチン、カルボキシメチルセルロースのナトリウム塩、ポリビニルアルコール、アルギン酸ナトリウム、トラガカントゴム、アカシアゴム、アラビアゴム、ポリアクリル酸、メチルメタクリレートコポリマー、カルボキシビニルポリマー、アミラーゼ、天然および化工デンプン、アルミニウムデンプンオクテニルスクシネート、ヒドロキシプロピルデンプンホスフェート、高アミラーゼデンプン、高アミラーゼヒドロキシプロピレートデンプン、デキストリン、ペクチン、キチン、キトサン、レバン、エルシナン、コラーゲン、ゼイン、グルテン、大豆タンパク質単離物、乳タンパク質単離物、カゼイン、イナゴマメガム、カラヤゴム、カラギーナン、ジェランガム、寒天、アルギン酸およびアルギネート、ファーセレラン、ポリヒドロキシ酸ポリマー、ならびにそれらの混合物、に基づくポリマー；多糖；からなる群から選択される、
ｃ．少なくとも１種の洗浄剤
を含む、水性液体中で離解するせっけん入り紙。
【請求項２】
前記パルプの重量パーセントが８０〜９０％である、請求項１に記載の紙。
【請求項３】
前記離解剤の重量パーセントが５〜１３％である、請求項１または２に記載の紙。
【請求項４】
以下の成分：
ｄ．剥離剤：２〜８重量％；
ｅ．染料：０．０１〜０．０５重量％；
ｆ．鉱物性顔料：０．１〜２０％；
ｇ．保持剤：０．１〜５％
の少なくとも１つをさらに含む、請求項１〜３の何れか１項に記載の紙。
【請求項５】
前記離解剤が前記カルボキシメチルセルロースのナトリウム塩である、請求項１〜４に記載の紙。
【請求項６】
２０〜５００ｇ／ｍ2の重量を有する、請求項１〜５の何れか１項に記載の紙。
【請求項７】
以下の組成：
−  漂白されたユーカリ化学パルプ  ８６．４重量％；
−  カルボキシメチルセルロースのナトリウム塩  ８．３重量％；
−  剥離剤  ５．３重量％；
−  紙への適用量８ｇ／ｍ2の、１対１の重量比のラウリルエーテル硫酸ナトリウムおよびラウリン酸アミドプロピルベタイン
を有し、７０ｇ／ｍ2の重量を有する、請求項１〜６の何れか１項に記載の紙。
【請求項８】
以下の組成：
−  漂白されたユーカリ化学パルプ  ５７．６重量％；
−  漂白された針葉樹化学パルプ  ２８．８重量％；
−  カルボキシメチルセルロースのナトリウム塩  ８．３重量％；
−  剥離剤  ５．３重量％；
−  適用量８ｇ／ｍ2の、１対１の重量比のラウリルエーテル硫酸ナトリウムおよびラウリン酸アミドプロピルベタイン
を有し、７０ｇ／ｍ2の重量を有する、請求項１〜６の何れか１項に記載の紙。
【請求項９】
以下の組成：
−  漂白されたユーカリ化学パルプ  ８６．４重量％；
−  カルボキシメチルセルロースのナトリウム塩  ８．３重量％；
−  剥離剤  ５．３重量％；
−  適用量８ｇ／ｍ2の、それぞれ、４９．６、４９．６、および０．８％の重量パーセントのラウリルエーテル硫酸ナトリウム、ラウリン酸アミドプロピルベタインおよび塩化ベンザルコニウム
を有し、７０ｇ／ｍ2の重量を有する、請求項１〜６の何れか１項に記載の紙。
【請求項１０】
少なくとも１種の洗浄剤が、家庭用または工業用洗浄剤であり、特に、前記少なくとも１種の洗浄剤が、食器洗い機のための洗浄剤、衣類および洗濯物の水中での洗浄のための洗浄剤および手洗い用クリームからなる群から選択される、請求項１〜９の何れか１項に記載の紙。
【請求項１１】
有効成分、特に、皮膚消毒薬をさらに含む、請求項１〜１０の何れか１項に記載の紙。
【請求項１２】
請求項１〜１１の何れか１項に記載の紙からなるロール。
【請求項１３】
予め成形されたシートを有する、請求項１２に記載のロール。
【請求項１４】
請求項１〜１１に記載の紙のシートを含むパック。
【請求項１５】
以下の段階：
ａ．セルロース系繊維パルプの調製；
ｂ．連続機械による紙基材の生産；
ｃ．任意に、シート表面処理；
ｄ．任意に、平滑化；
ｅ．洗浄剤による含浸；
ｆ．ローリング、および任意に、パッキング
を含む、請求項１〜１１に記載の紙の生産方法。
【請求項１６】
人体、特に、皮膚を清潔にするための、請求項１〜１１に記載の紙の使用。
【請求項１７】
有効成分および／または薬効成分、特に、消毒薬のための媒体として作用する、請求項１〜１１に記載の紙の使用。
【請求項１８】
洗濯機中で種々の色の衣服を洗浄するのを可能にする製品のための媒体としての、請求項１〜１１における紙の使用。
【請求項１９】
家庭用洗浄剤、特に、家庭用または工業用使用のための洗浄剤のための媒体としての、請求項１〜１１に記載の紙の使用。
【手続補正２】
【補正対象書類名】明細書
【補正対象項目名】００９８
【補正方法】変更
【補正の内容】
【００９８】
最終的に、図２ｄは、本発明による紙の完全な離解を示し、その後通常にすすがれる。使用者は、離解を溶解であると考える。
本願の出願当初の請求項の記載を、実施の態様として以下に付記する。
［１］ａ．セルロース系繊維パルプ：５０〜９０重量％；
ｂ．離解剤：３０〜３重量％；
ｃ．少なくとも１種の洗浄剤
を含む、水性液体中で離解するせっけん入り紙。
［２］前記パルプの重量パーセントが８０〜９０％である、［１］に記載の紙。
［３］前記離解剤の重量パーセントが５〜１３％である、［１］または［２］に記載の紙。
［４］以下の成分：
ｄ．剥離剤：２〜８重量％；
ｅ．染料：０．０１〜０．０５重量％；
ｆ．鉱物性顔料：０．１〜２０％；
ｇ．保持剤：０．１〜５％
の少なくとも１つをさらに含む、［１］〜［３］の何れか１項に記載の紙。
［５］前記離解剤が水溶性物質である、［１］〜［４］の何れか１項に記載の紙。
［６］前記水溶性物質が、ポリビニルピロリドン、ポリエチレングリコール、キサンタンガム、グアーガム、ポリクオタニウムポリマー、プルラン、ヒドロキシプロピルメチルセルロース、ヒドロキシエチルセルロース、ヒドロキシプロピルセルロース、ゼラチン、カルボキシメチルセルロースのナトリウム塩、ポリビニルアルコール、アルギン酸ナトリウム、トラガカントゴム、アカシアゴム、アラビアゴム、ポリアクリル酸、メチルメタクリレートコポリマー、カルボキシビニルポリマー、アミラーゼ、天然および化工デンプン、アルミニウムデンプンオクテニルスクシネート、ヒドロキシプロピルデンプンホスフェート、高アミラーゼデンプン、高アミラーゼヒドロキシプロピレートデンプン、デキストリン、ペクチン、キチン、キトサン、レバン、エルシナン、コラーゲン、ゼイン、グルテン、大豆タンパク質単離物、乳タンパク質単離物、カゼイン、イナゴマメガム、カラヤゴム、カラギーナン、ジェランガム、寒天、アルギン酸およびアルギネート、ファーセレラン、ポリヒドロキシ酸ポリマー、ならびにそれらの混合物、に基づくポリマー；多糖
からなる群から選択される、［５］に記載の紙。
［７］前記離解剤が前記カルボキシメチルセルロースのナトリウム塩である、［６］に記載の紙。
［８］２０〜５００ｇ／ｍ2の重量を有する、［１］〜［７］の何れか１項に記載の紙。
［９］以下の組成：
−  漂白されたユーカリ化学パルプ  ８６．４重量％；
−  カルボキシメチルセルロースのナトリウム塩  ８．３重量％；
−  剥離剤  ５．３重量％；
−  紙への適用量８ｇ／ｍ2の、１対１の重量比のラウリルエーテル硫酸ナトリウムおよびラウリン酸アミドプロピルベタイン
を有し、７０ｇ／ｍ2の重量を有する、［１］〜［８］の何れか１項に記載の紙。
［１０］以下の組成：
−  漂白されたユーカリ化学パルプ  ５７．６重量％；
−  漂白された針葉樹化学パルプ  ２８．８重量％；
−  カルボキシメチルセルロースのナトリウム塩  ８．３重量％；
−  剥離剤  ５．３重量％；
−  適用量８ｇ／ｍ2の、１対１の重量比のラウリルエーテル硫酸ナトリウムおよびラウリン酸アミドプロピルベタイン
を有し、７０ｇ／ｍ2の重量を有する、［１］〜［８］の何れか１項に記載の紙。
［１１］以下の組成：
−  漂白されたユーカリ化学パルプ  ８６．４重量％；
−  カルボキシメチルセルロースのナトリウム塩  ８．３重量％；
−  剥離剤  ５．３重量％；
−  適用量８ｇ／ｍ2の、それぞれ、４９．６、４９．６、および０．８％の重量パーセントのラウリルエーテル硫酸ナトリウム、ラウリン酸アミドプロピルベタインおよび塩化ベンザルコニウム
を有し、７０ｇ／ｍ2の重量を有する、［１］〜［８］の何れか１項に記載の紙。
［１２］少なくとも１種の洗浄剤が、家庭用または工業用洗浄剤であり、特に、前記少なくとも１種の洗浄剤が、食器洗い機のための洗浄剤、衣類および洗濯物の水中での洗浄のための洗浄剤および手洗い用クリームからなる群から選択される、［１］〜［８］の何れか１項に記載の紙。
［１３］有効成分、特に、皮膚消毒薬をさらに含む、［１］〜８の何れか１項に記載の紙。
［１４］［１］〜［１３］の何れか１項に記載の紙からなるロール。
［１５］予め成形されたシートを有する、［１４］に記載のロール。
［１６］［１］〜［１３］に記載の紙のシートを含むパック。
［１７］以下の段階：
ａ．セルロース系繊維パルプの調製；
ｂ．連続機械による紙基材の生産；
ｃ．任意に、シート表面処理；
ｄ．任意に、平滑化；
ｅ．洗浄剤による含浸；
ｆ．ローリング、および任意に、パッキング
を含む、［１］〜［１３］に記載の紙の生産方法。
［１８］人体、特に、皮膚を清潔にするための、［１］〜［１３］に記載の紙の使用。
［１９］有効成分および／または薬効成分、特に、消毒薬のための媒体として作用する、［１］〜［１３］に記載の紙の使用。
［２０］洗濯機中で種々の色の衣服を洗浄するのを可能にする製品のための媒体としての、［１］〜［１３］における紙の使用。
［２１］家庭用洗浄剤、特に、家庭用または工業用使用のための洗浄剤のための媒体としての、［１］〜［１３］に記載の紙の使用。
【手続補正書】
【提出日】平成26年10月29日(2014.10.29)
【手続補正１】
【補正対象書類名】特許請求の範囲
【補正対象項目名】全文
【補正方法】変更
【補正の内容】
【特許請求の範囲】
【請求項１】
ａ．セルロース繊維パルプ：５０〜９０重量％；
ｂ．離解剤：３０〜３重量％、ここで該解離剤は、ポリビニルピロリドン、ポリエチレングリコール、キサンタンガム、グアーガム、ポリクオタニウムポリマー、プルラン、ヒドロキシプロピルメチルセルロース、ヒドロキシエチルセルロース、ヒドロキシプロピルセルロース、ゼラチン、カルボキシメチルセルロースのナトリウム塩、ポリビニルアルコール、アルギン酸ナトリウム、トラガカントゴム、アカシアゴム、アラビアゴム、ポリアクリル酸、メチルメタクリレートコポリマー、カルボキシビニルポリマー、アミラーゼ、天然および化工デンプン、アルミニウムデンプンオクテニルスクシネート、ヒドロキシプロピルデンプンホスフェート、高アミラーゼデンプン、高アミラーゼヒドロキシプロピレートデンプン、デキストリン、ペクチン、キチン、キトサン、レバン、エルシナン、コラーゲン、ゼイン、グルテン、大豆タンパク質単離物、乳タンパク質単離物、カゼイン、イナゴマメガム、カラヤゴム、カラギーナン、ジェランガム、寒天、アルギン酸およびアルギネート、ファーセレラン、ポリヒドロキシ酸ポリマー、ならびにそれらの混合物、に基づくポリマー；多糖；からなる群から選択される、
ｃ．少なくとも１種の洗浄剤
を含む、水性液体中で離解するせっけん入り紙。
【請求項２】
前記パルプの重量パーセントが８０〜９０％である、請求項１に記載の紙。
【請求項３】
前記離解剤の重量パーセントが５〜１３％である、請求項１または２に記載の紙。
【請求項４】
以下の成分：
ｄ．剥離剤：２〜８重量％；
ｅ．染料：０．０１〜０．０５重量％；
ｆ．鉱物性顔料：０．１〜２０％；
ｇ．保持剤：０．１〜５％
の少なくとも１つをさらに含む、請求項１〜３の何れか１項に記載の紙。
【請求項５】
前記離解剤が前記カルボキシメチルセルロースのナトリウム塩である、請求項１〜４に記載の紙。
【請求項６】
２０〜５００ｇ／ｍ2の重量を有する、請求項１〜５の何れか１項に記載の紙。
【請求項７】
以下の組成：
−  漂白されたユーカリ化学パルプ  ８６．４重量％；
−  カルボキシメチルセルロースのナトリウム塩  ８．３重量％；
−  剥離剤  ５．３重量％；
−  紙への適用量８ｇ／ｍ2の、１対１の重量比のラウリルエーテル硫酸ナトリウムおよびラウリン酸アミドプロピルベタイン
を有し、７０ｇ／ｍ2の重量を有する、請求項１〜６の何れか１項に記載の紙。
【請求項８】
以下の組成：
−  漂白されたユーカリ化学パルプ  ５７．６重量％；
−  漂白された針葉樹化学パルプ  ２８．８重量％；
−  カルボキシメチルセルロースのナトリウム塩  ８．３重量％；
−  剥離剤  ５．３重量％；
−  適用量８ｇ／ｍ2の、１対１の重量比のラウリルエーテル硫酸ナトリウムおよびラウリン酸アミドプロピルベタイン
を有し、７０ｇ／ｍ2の重量を有する、請求項１〜６の何れか１項に記載の紙。
【請求項９】
以下の組成：
−  漂白されたユーカリ化学パルプ  ８６．４重量％；
−  カルボキシメチルセルロースのナトリウム塩  ８．３重量％；
−  剥離剤  ５．３重量％；
−  適用量８ｇ／ｍ2の、それぞれ、４９．６、４９．６、および０．８％の重量パーセントのラウリルエーテル硫酸ナトリウム、ラウリン酸アミドプロピルベタインおよび塩化ベンザルコニウム
を有し、７０ｇ／ｍ2の重量を有する、請求項１〜６の何れか１項に記載の紙。
【請求項１０】
少なくとも１種の洗浄剤が、家庭用または工業用洗浄剤であり、特に、前記少なくとも１種の洗浄剤が、食器洗い機のための洗浄剤、衣類および洗濯物の水中での洗浄のための洗浄剤および手洗い用クリームからなる群から選択される、請求項１〜９の何れか１項に記載の紙。
【請求項１１】
有効成分、特に、皮膚消毒薬をさらに含む、請求項１〜６の何れか１項に記載の紙。
【請求項１２】
請求項１〜１１の何れか１項に記載の紙からなるロール。
【請求項１３】
予め成形されたシートを有する、請求項１２に記載のロール。
【請求項１４】
請求項１〜１１に記載の紙のシートを含むパック。
【請求項１５】
以下の段階：
ａ．セルロース繊維パルプの調製；
ｂ．連続機械による紙基材の生産；
ｃ．任意に、シート表面処理；
ｄ．任意に、平滑化；
ｅ．洗浄剤による含浸；
ｆ．ローリング、および任意に、パッキング
を含む、請求項１〜１１に記載の紙の生産方法。
【請求項１６】
人体、特に、皮膚を清潔にするための、請求項１〜１１に記載の紙の使用。
【請求項１７】
有効成分および／または薬効成分、特に、消毒薬のための媒体として作用する、請求項１〜１１に記載の紙の使用。
【請求項１８】
洗濯機中で種々の色の衣服を洗浄するのを可能にする製品のための媒体としての、請求項１〜１１における紙の使用。
【請求項１９】
家庭用洗浄剤、特に、家庭用または工業用使用のための洗浄剤のための媒体としての、請求項１〜１１に記載の紙の使用。
【国際調査報告】
2015514818.tif 000005
2015514818.tif 000006
2015514818.tif 000007